(57)【特許請求の範囲】
【請求項１】
器体の天面に位置し鍋を載置するトッププレートと、前記トッププレートの下方に位置し前記鍋を誘導加熱する誘導加熱コイルと、前記誘導加熱コイルを制御する制御回路と、前記誘導加熱コイルや前記制御回路を冷却するための風を前記器体内に送るための送風装置とを備え、前記送風装置には回転軸を中心に回転する遠心ファンおよび外郭を形成するファンケースを有し、前記回転軸方向の相対向する面に吸い込み口と外周を略四角形とした吹き出し口を設け、前記吹き出し口側には前記遠心ファンの略外径形状の仕切板を前記遠心ファンに対向させて配置し、前記仕切板から前記吹き出し口の外周の各辺に向かって前記回転軸を中心に上下左右方向に延ばした保持板により前記仕切板を保持する構成とした誘導加熱調理器。
【請求項２】
前記仕切板の外径端部近傍から前記制御回路の発熱部品に向けて送風ガイドを設けた請求項１に記載の誘導加熱調理器。
【請求項３】
器体の天面に位置し鍋を載置するトッププレートと、前記トッププレートの下方に位置し前記鍋を誘導加熱する誘導加熱コイルと、前記誘導加熱コイルを制御する制御回路と、前記誘導加熱コイルや前記制御回路を冷却するための風を前記器体内に送るための送風装置とを備え、前記送風装置には回転軸を中心に回転する遠心ファンおよび外郭を形成するファンケースを有し、前記回転軸方向の相対向する面に吸い込み口と外周を略四角形とした吹き出し口を設け、前記吹き出し口側には前記遠心ファンの略外径形状の仕切板を前記遠心ファンに対向させて配置し、前記仕切板から前記吹き出し口の外周の各辺に向かって前記回転軸を中心に上下左右方向に延ばした保持板により前記仕切板を保持する構成とし、前記仕切板の外径端部近傍から前記制御回路の発熱部品に向けて送風ガイドを設け、前記仕切板に対向し前記送風ガイドに挟まれた位置に前記遠心ファンを駆動するためのファンモーターを配置した誘導加熱調理器。
【請求項４】
前記仕切板の外周端部に沿って風下側に向かって立つ立壁を形成した請求項１〜３のいずれか１項に記載の誘導加熱調理器。
【請求項５】
前記ファンケース内面の前記吸い込み口側の面に前記遠心ファンの外周を囲む円形リブを
設けた請求項１〜４のいずれか１項に記載の誘導加熱調理器。
【請求項６】
前記ファンケース内面の前記吸い込み口側の面において、前記吸い込み口を形成するベルマウスから前記遠心ファンの外径近傍までの面をその外周面よりも高くして前記遠心ファンの羽根の端面との間に空間を形成した請求項１〜５のいずれか１項に記載の誘導加熱調理器。
【発明の詳細な説明】
【技術分野】
【０００１】
本発明は、一般家庭等で使用する、誘導加熱装置を備えた組込型および据置型の誘導加熱調理器に関するものである。
【背景技術】
【０００２】
誘導加熱調理器は熱効率が高く安全であるということはよく知られているが、内部構成が複雑で部品および外郭の温度上昇を抑制して冷却する必要があった。従来この種の誘導加熱調理器としては、グリルや加熱コイル、制御回路等の発熱部品を冷却するための冷却風を発生する冷却ファンとしてシロッコファンを採用し、天面後部から外気を吸気して、前方に風を吹き出すことにより内部の発熱部品に風を送る構成のものがある（例えば、特許文献１参照）。
【０００３】
前記従来の誘導加熱調理器は、上記構成により、バランスよくしかも全体的に効率よく冷却風を流して、前記発熱部品や器体内壁の温度上昇を抑止することにより信頼性の向上を図ることができるものであった。
【特許文献１】特許第３９３１８２１号公報
【発明の開示】
【発明が解決しようとする課題】
【０００４】
しかしながら、前記従来の誘導加熱調理器は、シロッコファンによって天面後部から冷却風の吸気を行い前方すなわちファンの回転軸に対して垂直な方向に吹き出す構成をとっているため、前後方向の寸法はファンの外径よりも大きなものとなり、制御回路のスペースを大きくとれず、風の経路が狭くなるため冷却効率が悪くなるくなるといった課題があった。制御回路のスペースを確保するために、プロペラファンのような軸流ファンを用いたものも近年見られるようになっているが、前記軸流ファンは圧力がシロッコファンに比べて低くなるため、回路部品間の狭い経路やヒートシンク等の部品に風を通過させるには難があり、省スペースであるが所望の冷却効率が得られにくいといった課題を有している。
【０００５】
本発明は、前記従来の課題を解決するもので、器体内の発熱部品に風を送るのに十分な圧力を有し、省スペースで制御回路のスペースを十分に確保することのできる送風装置を搭載した冷却効率の高い誘導加熱調理器を提供することを目的とする。
【課題を解決するための手段】
【０００６】
前記従来の課題を解決するために、本発明の加熱調理器は、器体の天面に位置し鍋を載置するトッププレートと、前記トッププレートの下方に位置し前記鍋を誘導加熱する誘導加熱コイルと、前記誘導加熱コイルを制御する制御回路と、前記誘導加熱コイルや制御回路を冷却するための風を前記器体内に送るための送風装置とを備え、前記送風装置は回転軸を中心に回転する遠心ファンおよび外郭を形成するファンケースを有し、前記回転軸方向の相対向する面に吸い込み口と外周を略四角形とした吹き出し口を設け、前記吹き出し口側には前記遠心ファンの略外径形状の仕切板を前記遠心ファンに対向させて配置し、前記仕切板から前記吹き出し口の外周の各辺に向かって前記回転軸を中心に上下左右方向に延ばした保持板により前記仕切板を保持する構成としたものである。
【０００７】
上記構成のように、器体内の発熱部品に風を送るのに十分な圧力を有する遠心ファンにおいて回転軸方向の相対向する面に吸い込み口と吹き出し口を設けたことにより省スペースを実現し、さらに吹き出し口側に設けた遠心ファンの略外径形状の仕切板により吹き出し口周辺の風のファンへの吸い込みを抑制することによって高効率な送風装置を搭載した冷却効率の高い誘導加熱調理器を実現することができるものである。
【発明の効果】
【０００８】
本発明の誘導加熱調理器は、器体内の発熱部品に風を送るのに十分な圧力を有し、省スペースで制御回路のスペースを十分に確保することのできる送風装置を搭載した冷却効率を高くすることができる。
【発明を実施するための最良の形態】
【０００９】
第１の発明は、器体の天面に位置し鍋を載置するトッププレートと、前記トッププレートの下方に位置し前記鍋を誘導加熱する誘導加熱コイルと、前記誘導加熱コイルを制御する制御回路と、前記誘導加熱コイルや制御回路を冷却するための風を前記器体内に送るための送風装置とを備え、前記送風装置は回転軸を中心に回転する遠心ファンおよび外郭を形成するファンケースを有し、前記回転軸方向の相対向する面に吸い込み口と外周を略四角形とした吹き出し口を設け、前記吹き出し口側には前記遠心ファンの略外径形状の仕切板を前記遠心ファンに対向させて配置し、前記仕切板から前記吹き出し口の外周の各辺に向かって前記回転軸を中心に上下左右方向に延ばした保持板により前記仕切板を保持する構成としたことにより、遠心ファンによって器体内の発熱部品に風を送るのに十分な圧力が得られ、吸い込み口と吹き出し口の位置を回転軸方向の相対向する面に設けたことにより省スペースで制御回路のスペースを十分に確保することができ、さらに吹き出し口側に設けた遠心ファンの略外径形状の仕切板により吹き出し口周辺の風のファンへの吸い込みを抑制することによって高効率な送風装置を搭載した冷却効率の高い誘導加熱調理器を実現することができるものである。
【００１０】
第２の発明は、特に、第１の発明の前記仕切板の外径端部近傍から前記制御回路の発熱部品に向けて送風ガイドを設けたことにより吹き出し口から出た風を整流しながら発熱部品に風を効率よく送ることができるため冷却効率が一層高められるものである。
【００１１】
第３の発明は、器体の天面に位置し鍋を載置するトッププレートと、前記トッププレートの下方に位置し前記鍋を誘導加熱する誘導加熱コイルと、前記誘導加熱コイルを制御する制御回路と、前記誘導加熱コイルや前記制御回路を冷却するための風を前記器体内に送るための送風装置とを備え、前記送風装置には回転軸を中心に回転する遠心ファンおよび外郭を形成するファンケースを有し、前記回転軸方向の相対向する面に吸い込み口と外周を略四角形とした吹き出し口を設け、前記吹き出し口側には前記遠心ファンの略外径形状の仕切板を前記遠心ファンに対向させて配置し、前記仕切板から前記吹き出し口の外周の各辺に向かって前記回転軸を中心に上下左右方向に延ばした保持板により前記仕切板を保持する構成とし、前記仕切板の外径端部近傍から前記制御回路の発熱部品に向けて送風ガイドを設け、前記仕切板に対向し送風ガイドに挟まれた位置に遠心ファンを駆動するためのファンモーターを配置したことにより吹き出し口近傍に構成される無風部をファンモーターのスペースとして有効利用できるため、器体内部の部品のスペース効率を高めることができるものである。
【００１２】
第４の発明は、特に、第１〜３のいずれか１つの発明の前記仕切板の外周端部に沿って風下側に向かって立つ立壁を形成したことにより、吹き出し口近傍に発生する風の渦が抑制され送風装置の送風効率が高められるため、冷却効率がさらに高められるものである。
【００１３】
第５の発明は、特に、第１〜第４のいずれかの発明の前記ファンケース内面の前記吸い込み口側の面に前記遠心ファンの外周を囲む円形リブを設けたことにより、ファンケース内部において遠心ファンから外周へ向かう風の逆流を防止することができるため、送風装置の送風効率が一層向上するものである。
【００１４】
第６の発明は、特に、第１〜５のいずれか１つの発明の前記ファンケース内面の前記吸い込み口側の面において、前記吸い込み口を形成するベルマウスから前記遠心ファンの外径近傍までの面をその外周面よりも高くして前記遠心ファンの羽根の端面との間に空間を形成したことにより、遠心ファンとファンケースとの間で生じるブレード音が低減されるため、送風装置の騒音レベルを下げることができ、静かで使い勝手のよい誘導加熱調理器を実現することができるものである。
【００１５】
以下、本発明の実施の形態について、図面を参照しながら説明する。なお、この実施の形態によって本発明が限定されるものではない。
【００１６】
（実施の形態１）
図１は、本発明の実施の形態１における誘導加熱調理器の分解斜視図を示すものである。外郭を形成する器体１の天面は、トップフレーム２に固定され鍋を載置するためのトッププレート３が設けられている。トップフレーム２の前部は本誘導加熱調理器の運転のＯＮ・ＯＦＦや条件を入力したり運転状況を表示したりする操作部４が設けられている。トッププレート３下方には、トッププレート３上の鍋を誘導加熱するための誘導加熱コイル５とこの誘導加熱コイル５を保持するコイルベース６等から構成される熱源７が配置されている。また、熱源７下方において器体１正面から見て左側は、焼き物調理等を行うためのグリル（図示せず）が配置されており、前記グリルの前面開口部は器体１前面に設けられた扉９により開閉を行うことができるようになっている。また、器体１正面から見て右側には誘導加熱コイル５を制御するための電子部品を搭載する制御回路１０が配置されている。制御回路１０に搭載されている電子部品には発熱するものもあり、ヒートシンク１１を密着させて効率よく冷却できるようになっている。器体１の前部には制御回路１０に搭載された電子部品や誘導加熱コイル５、グリル等の発熱部品を冷却するための送風装置１２が設けられている。この送風装置１２は回転軸１３を中心に回転する遠心ファン１４と外郭を形成するファンケース１５を有しており、回転軸１３方向の相対向する面に冷却風の吸い込み口１６と吹き出し口１７を設けた構成となっている。送風装置１２の吸い込み口１６近傍の器体１下面には外気を吸気するための吸気口２１が設けられている。
【００１７】
図２は、本発明の実施の形態１における誘導加熱調理器の送風装置の吹き出し口側から見た矢視図である。送風装置１２の吹き出し口１７側には回転軸１３を中心に回転する遠心ファン１４の外径に沿った形状の仕切板１８が遠心ファン１４に対向させるように配置されている。また仕切板１８から吹き出し口１７の外周に向かって仕切板１８を保持するための保持板１９が上下左右方向にそれぞれ延びている。また、前記仕切板１８の外周端部および保持板１９の端部および吹き出し口１７の外周端部には風下側に向かって高さ２ｍｍ〜４ｍｍ程度の立壁２０が形成されている。本実施の形態では、この立壁２０は仕切板、保持板、吹き出し口外周を一体で構成する板金を端部形状に沿ってバーリング加工を施して形成している。
【００１８】
図３は、本発明の実施の形態１における誘導加熱調理器の右側内部を示す平面方向の断面図である。送風装置１２の吸い込み口１６近傍の器体１下面には吸気口２１が設けられている。また、送風装置１２の吹き出し口１７側に設けられた立壁２０の端部近傍から制御回路１０の発熱部品に密着して設けられたヒートシンク１１に向けて送風ガイド２２が設けられている。吹き出し口１７から吹き出した冷却風はこの送風ガイド２２に沿ってヒートシンク１１方向へ流れるようになっている。遠心ファンを駆動するためのファンモーター２３は前記送風ガイド２２によって形成される無風部分（送風ガイド２２にはさまれた位置）に配置されている。
【００１９】
図４は、本発明の実施の形態１における誘導加熱調理器の送風装置１２周辺部の横断面図である。送風装置１２の外郭を形成するファンケース１５の内面の吸い込み口１６側には遠心ファン１４の外周を囲むように高さ５ｍｍ程度の円形リブ２４が設けられている。また、ファンケース１５の内面の吸い込み口１６側の面において、吸い込み口１６を形成するベルマウス２５から遠心ファン１４の外径近傍までの面２７をその外周面２８よりも高くして遠心ファン１４の羽根の端面２９との間に空間２６が形成されている。
【００２０】
以上のように構成された誘導加熱調理器について、以下その動作、作用を説明する。
【００２１】
使用者がトッププレート３上に鍋を載置して加熱調理を行ったり、グリルに食材を入れて加熱調理を行ったりする際に、天面に配置された操作部４のボタンを操作することにより加熱をスタートさせる。このとき同時に送風装置１２が作動し器体１内部に冷却風を矢印に示す経路で流す。加熱調理中は誘導加熱コイル５や制御回路１０、グリル等が発熱するが、前記冷却風によりこれらの発熱部品は許容温度以下に保たれる。また、本実施の形態では遠心ファン１４によって器体１内の発熱部品に風を送るのに十分な圧力が得られ、吸い込み口１６と吹き出し口１７の位置を回転軸１３方向の相対向する面に設けたことにより省スペースで制御回路１０のスペースを十分に確保することができ、さらに吹き出し口１７側に設けた遠心ファン１４の略外径形状の仕切板１８により吹き出し口１７周辺の風の遠心ファン１４への吸い込み（逆流）を抑制することによって高効率な送風装置１２を搭載した冷却効率の高い誘導加熱調理器を実現することができる。
【００２２】
また、仕切板１８の外径端部近傍から制御回路１０の発熱部品に密着させたヒートシンク１１に向けて送風ガイド２２を設けたことにより吹き出し口１７から出た風を整流しながら発熱部品に風を効率よく送ることができるため冷却効率が一層高められる。
【００２３】
また、仕切板１８に対向し前記送風ガイド２２に挟まれた位置に遠心ファン１４を駆動するためのファンモーター２３を配置したことにより吹き出し口１７近傍に構成される無風部をファンモーター２３のスペースとして有効利用できるため、器体１内部の部品のスペース効率を高めることができる。
【００２４】
また、仕切板１８の外周端部に沿って風下側に向かって立つ立壁２０を形成したことにより、風下方向に立壁２０に沿って流れるので吹き出し口１７近傍に発生する風の渦が抑制され送風装置１２の送風効率が高められるため、冷却効率がさらに高められる。
【００２５】
また、ファンケース１５内面の吸い込み口１６側の面に遠心ファンの外周を囲む円形リブ２４を設けたことにより、ファンケース１５内部において遠心ファン１４から外周へ向かう風の逆流（遠心ファン１４の外周の外側より内周側へ戻る流れ）を防止することができるため、送風装置１２の送風効率が一層向上するものである。
【００２６】
さらに、本実施の形態は、ファンケース１５内面の吸い込み口１６側の面において、吸い込み口１６を形成するベルマウス２５から遠心ファン１４の外径近傍までの面２７をその外周面２８よりも高くして遠心ファン１４の羽根の端面２９との間に空間２６を形成したことにより遠心ファン１４とファンケース１５との間が離れ、遠心ファン１４とファンケース１５との間で空気の摩擦により生じるブレード音が低減されるため、送風装置１２の騒音レベルを下げることができ、静かで使い勝手のよい誘導加熱調理器を実現することができるものである。また本実施の形態では吸い込み口１６近傍の面２７がその外周面２８よりも高くなっているため、器体１下部に水がこぼれても吸気口２１から吸い上げるときにファンケース１５外面に形成される段差によってファンケース１５外面を伝って上昇する水分が止められるため、床面への溢水に対する性能も向上するものである。
【産業上の利用可能性】
【００２７】
以上のように、本発明にかかる誘導加熱調理器は、加熱調理時の内部発熱部品の冷却性能を向上させるものであり、内部に発熱部品を有する装置に適用できる。
【図面の簡単な説明】
【００２８】
【図１】本発明の実施の形態１における誘導加熱調理器の分解斜視図
【図２】本発明の実施の形態１における誘導加熱調理器の送風装置の吹き出し口側から見た矢視図
【図３】本発明の実施の形態１における誘導加熱調理器の右側内部を示す平面方向の断面図
【図４】本発明の実施の形態１における誘導加熱調理器の送風装置周辺部の横断面図
【符号の説明】
【００２９】
１  器体
３  トッププレート
５  誘導加熱コイル
１０  制御回路
１２  送風装置
１３  回転軸
１４  遠心ファン
１５  ファンケース
１６  吸い込み口
１７  吹き出し口
１８  仕切板
２０  立壁
２２  送風ガイド
２３  ファンモーター
２４  円形リブ
２５  ベルマウス
２６  空間
【図１】
0004973388.tif 000002
【図２】
0004973388.tif 000003
【図３】
0004973388.tif 000004
【図４】
0004973388.tif 000005